(57)【特許請求の範囲】
【請求項１】
一端側に設けた液体の流入開口と他端側に設けた液体の流出開口とを主通路で連通させたケース体と、
主通路の中間に設けた絞り部と、
絞り部に形成された気体混合手段と、を含み、
気体混合手段は、ケース体を肉厚方向に貫通して主通路に連通する気体導入孔と、絞り部に配置され気体導入孔に連通するとともに主通路に開放する環状スリットと、気体導入孔に連通するとともに環状スリットに連通する環状空間と、を備え、
環状スリットは、環状空間と主通路とを斜め直状に連通するように設けられ、
環状空間からの気体であって、環状スリットから主通路の液体の流れ下流方向に斜めに向けて気体を導入させる斜め導入手段を設け、
斜め導入手段は、環状空間に面し主通路の液体の流れ下流方向に下がり傾斜状で設けられ環状スリットに通じる断面傾斜状壁を含み、
環状スリットは、絞り部のうちの最大絞り位置近傍で最大絞り位置よりも下流側に設けられ、
絞り部は、一部が主通路に接するとともに他部が環状空間に接し先端部周囲に環状スリットを形成する環状突起であり、主通路の液体の流れ下流方向に突出する環状突起を含み、
環状突起は、その先端を尖り端として主通路の液体の流れ下流方向に向けて先鋭形状となっており、
絞り部に向けて通路径をしだいに径小とした第１テーパ部を有する第１ケース部と、絞り部から通路径をしだいに径大とした第２テーパ部を有する第２ケース部と、を接合してケース体が構成され、
第１ケース部の絞り部に環状突起を形成させ、該環状突起の尖り端部分と第２ケース部の絞り部の通路口縁との間で微小間隙の環状スリットを形成するように第２ケース部の絞り部の主通路入口に環状突起の尖り端を近接配置させ
第１ケース部と第２ケース部との突合せ位置が環状空間と断面傾斜状壁から環状スリットに通じる通路とを含むケース体の縦断位置であることを特徴とするマイクロバブル発生器。
【請求項２】
第１ケース部と第２ケース部との接合部において、第２ケース部に環状突起を近接配置させる際に該環状突起の外周側に気体導入孔と環状スリットに連通する環状空間を設けていることを特徴とする請求項１記載のマイクロバブル発生器。
【請求項３】
主通路は断面円形で形成されており、ケース体の絞り部近傍位置であり主通路の直径方向対向位置に対極となる一対の磁力体を配置したことを特徴とする請求項１又は２記載のマイクロバブル発生器。
【発明の詳細な説明】
【技術分野】
【０００１】
本発明は、液体中にマイクロメートルサイズの微細気泡を発生させるマイクロバブル発生器に関する。
【背景技術】
【０００２】
液体中に発生したマイクロメートルオーダーサイズの微細気泡は、気泡体積が微細であるため、例えば直径５ミリメートル以上程度等の通常のサイズの気泡に比して上昇速度が遅く長い間液体中に滞在し続ける、気泡サイズが小さいほど水による表面張力の影響によって気泡内圧が高くなり気体は水中に溶解する、等の特質を有しており、このため、生理活性作用による植物や養殖物の収率向上、水質浄化、機械装置の洗浄、排水中の界面活性剤除去機能を利用して多方面の分野において利用価値を有することが知られるようになっている。このような有用な機能を有するマイクロバブルを液体中に発生させる装置は、液体中で多くの微細気泡を発生させること及び微細気泡発生の確実さを備えたものであることが良い性能を有する条件である。マイクロバブルの発生器については例えば従来、特許文献１、２において提案されたものがある。
【先行技術文献】
【特許文献】
【０００３】
【特許文献１】特開２００７−２１３４３号公報
【特許文献２】特開２００８−２３４３５号公報
【発明の概要】
【発明が解決しようとする課題】
【０００４】
特許文献１のマイクロバブル発生装置は、筒状のケーシング４内に二重筒状に整流筒体６を配置し、ケーシングと整流筒体の間隙に第１プロペラ形翼列７を設置するとともに整流筒体内に第２プロペラ形翼列８を設置し、気体導入ポート１７に連通する小孔１８によりケーシング内に気体を導入させることにより、気液混合流体を内外逆回りの旋回流としてマイクロバブル発生を促進させるものである。しかしながら、特許文献１の装置では、ケーシングと整流筒体との間、並びに整流筒体内に流体をらせん状に案内する羽根等を設置した構造であり、製造が容易ではなくコスト増となるばかりか気体導入部は小孔１８一箇所のみで形成されているのでマイクロバブル発生量が限られ、マイクロバブルに特有の機能を充分に発揮させることができないという問題があった。また、特許文献２は、横長筒体状のケーシングの長手中央をスロート部６とし、一端側にコーン形部５、他端側に末広ノズル部７を形成して流路２３で連通したマイクロバブル発生器において、内部に圧送空気の通気路４を設けた進退ロッド８をコーン形部５内に設置してスロート部への進退ロッド先端部の進退動作によりスロート部を通過する液体量を調整しながらマイクロバブルを発生させることを企図したものである。しかしながら、この特許文献２の装置においても気体導入は進退ロッド先端のピンホール４２のみにより行なわれるもので、マイクロバブル発生量自体を増加させるものではない。また、文献２の装置は、文献１のものと同様に気泡サイズのばらつきが大きく、ミリサイズ以上の気泡も多く含まれる結果、気泡の多くが大気と接する界面へ上昇し、そのために水中で収縮する気泡の数が少なく水の物理的性質による応用分野での有利な効果を充分に得ることができない、という問題があった。
【０００５】
本発明は上記従来の課題に鑑みてなされたものであり、その目的は、簡単な構成で低コストで製作でき、また多くの微細気泡を発生させるばかりでなく、マイクロメートルサイズの微細気泡を均一な分布で確実に発生させてマイクロバブルの機能を充分に発揮させることのできるマイクロバブル発生器を提供することにある。
【課題を解決するための手段】
【０００６】
上記課題を解決するために本発明は、一端側に設けた液体Ｌの流入開口１０ａと他端側に設けた液体の流出開口１０ｂとを主通路１０で連通させたケース体２と、主通路１０の中間に設けた絞り部３と、絞り部に形成された気体混合手段４と、を含み、気体混合手段は、ケース体２を肉厚方向に貫通して主通路１０に連通する気体導入孔６と、絞り部３に配置され気体導入孔６に連通するとともに主通路１０に開放する環状スリット７と、気体導入孔６に連通するとともに環状スリット７に連通する環状空間８と、を備え、環状スリットは、環状空間と主通路とを斜め直状に連通するように設けられ、環状空間８からの気体であって、環状スリット７から主通路１０の液体の流れ下流方向ＤＷに斜めに向けて気体Ｇを導入させる斜め導入手段５を設け、斜め導入手段５は、環状空間８に面し主通路１０の液体の流れ下流方向ＤＷに下がり傾斜状で設けられ環状スリット７に通じる断面傾斜状壁２０を含み、環状スリット７は、絞り部３のうちの最大絞り位置Ｐ近傍で最大絞り位置よりも下流側に設けられ、絞り部３は、一部が主通路１０に接するとともに他部が環状空間８に接し先端部周囲に環状スリット７を形成する環状突起であり、主通路１０の液体の流れ下流方向ＤＷに突出する環状突起２２を含み、環状突起２２は、その先端を尖り端として主通路１０の液体の流れ下流方向に向けて先鋭形状となっており、絞り部３に向けて通路径をしだいに径小とした第１テーパ部１４を有する第１ケース部１２と、絞り部３から通路径をしだいに径大とした第２テーパ部５４を有する第２ケース部５２と、を接合してケース体２が構成され、第１ケース部１２の絞り部３に環状突起２２を形成させ、該環状突起の尖り端部分と第２ケース部５２の絞り部の通路口縁６２との間で微小間隙の環状スリット７を形成するように第２ケース部５２の絞り部の主通路入口（６２）に環状突起２２の尖り端を近接配置させ第１ケース部１２と第２ケース部５２との突合せ位置が環状空間８と断面傾斜状壁２０から環状スリット７に通じる通路とを含むケース体の縦断位置であることを特徴とするマイクロバブル発生器１から構成される。
【０００７】
その際、第１ケース部１２と第２ケース部５２との接合部において、第２ケース部５２に環状突起２２を近接配置させる際に該環状突起の外周側に気体導入孔６と環状スリット７に連通する環状空間８を設けるとよい。
【０００８】
また、主通路１０は断面円形で形成されており、ケース体２の絞り部３近傍位置であり主通路１０の直径方向対向位置に対極となる一対の磁力体を配置してもよい。
【発明の効果】
【０００９】
本発明のマイクロバブル発生器によれば、一端側に設けた液体の流入開口と他端側に設けた液体の流出開口とを主通路で連通させたケース体と、主通路の中間に設けた絞り部と、絞り部に形成された気体混合手段と、を含み、気体混合手段は、ケース体を肉厚方向に貫通して主通路に連通する気体導入孔と、絞り部に配置され気体導入孔に連通するとともに主通路に開放する環状スリットと、気体導入孔に連通するとともに環状スリットに連通する環状空間と、を備え、環状空間からの気体であって、環状スリットから主通路の液体の流れ下流方向に斜めに向けて気体を導入させる斜め導入手段を設けた構成であるから、簡単な構成で低コストで製作でき、また多くの微細気泡を発生させるばかりでなく、マイクロメートルサイズの微細気泡を均一な分布で確実に発生させてマイクロバブルの機能を充分に発揮させることができる。特に、気体の斜め導入手段により環状スリットから主通路の液体の流れ下流方向に斜めに向けて気体を導入させるので、通路内への導入時に妨げるものがなく主通路内への円滑な流れで気体を液体の通路内に導入して多数の均等サイズのマイクロバブルを確実に生成することができる。
【００１０】
また、斜め導入手段は、環状空間に面し主通路の液体の流れ下流方向に下がり傾斜状で設けられ環状スリットに通じる断面傾斜状壁を含む構成であるから、第１ケース部等を用いて環状空間に面する断面傾斜状壁を形成でき、主通路内への円滑な流れで気体を液体の通路内に導入して多数の均等サイズのマイクロバブルの確実な生成を実効化することができる。
【００１１】
また、環状スリットは、絞り部のうちの最大絞り位置近傍で最大絞り位置よりも下流側に設けられた構成であるから、２つの半截ケースの接合などを利用して埋め込み状の環状空間と斜め導入手段と環状スリットを有する特殊な構成をベンチュリ管の絞り部において同時に実現することができる。
【００１２】
また、絞り部は、一部が主通路に接するとともに他部が環状空間に接し先端部周囲に環状スリットを形成する環状突起であり、主通路の液体の流れ下流方向に突出する環状突起を含む構成であるから、気体の斜め導入手段と環状空間の形成とを具体的に実現することができる。
【００１３】
また、環状突起は、主通路の液体の流れ下流方向に向けて先鋭形状となっている構成とすることにより、気体の斜め導入手段と環状空間の形成とを実現し、主通路と気体導入用の環状空間側の表裏面に異なる相を通流させて微小振動を生じさせ、マイクロバブル生成を促進させることができる。
【００１４】
また、絞り部に向けて通路径をしだいに径小とした第１テーパ部を有する第１ケース部と、絞り部から通路径をしだいに径大とした第２テーパ部を有する第２ケース部と、を接合してケース体が構成され、第１ケース部の絞り部に環状突起を形成させ、第２ケース部の絞り部の通路口縁との間で微小間隙の環状スリットを形成するように第２ケース部の絞り部の主通路入口に環状突起を近接配置させた構成とすることにより、第１、第１ケース部の２つのパーツの接合部を利用して具体的に埋め込み状の環状空間、断面傾斜状壁、環状スリットを形成することができる。
【００１５】
また、第１ケース部と第２ケース部との接合部において、第２ケース部に環状突起を近接配置させる際に該環状突起の外周側に気体導入孔と環状スリットに連通する環状空間を設けた構成であるから、主通路の外周側から環状スリットを介して斜め下流側に向けて円形状の気体を導入させることができる。
【００１６】
また、主通路は断面円形で形成されており、ケース体の絞り部近傍位置であり主通路の直径方向対向位置に対極となる一対の磁力体を配置した構成とすることにより、例えば水などの液体の表面張力を小さくし、マイクロバブルの気液界面張力を減少させて気泡の液体内での収縮を確実にし、溶存酸素濃度を高くして水質改善、水の浄化作用をより強く実効化させることができる。
【図面の簡単な説明】
【００１７】
【図１】本発明の実施形態に係るマイクロバブル発生器の縦断面図である。
【図２】図１のＡ−Ａ線矢視図である。
【図３】図１のＢ−Ｂ線矢視図である。
【図４】図１のマイクロバブル発生器の一部省略要部拡大説明図である。
【図５】図１のマイクロバブル発生器を第１、第２半截ケースに分解して示した分解縦断面説明図である。
【図６】（ａ）は、図５の第１半截ケースの端面側から見た図、（ｂ）は、図５の第２半截ケースの端面側から見た図である。
【図７】実施形態のマイクロバブル発生器の設置例構成を示す説明図である。
【図８】図１のマイクロバブル発生器の作用説明図である。
【図９】本発明の第２の実施形態にかかるマイクロバブル発生器の縦断面構成説明図である。
【図１０】図９のマイクロバブル発生器による処理水のバブリング時間と表面張力の関係を示すグラフ図である。
【発明を実施するための形態】
【００１８】
次に、本発明の実施形態に係るマイクロバブル発生器について図１〜図６を参照して説明する。本発明のマイクロバブル発生器は、ケース体内の通路に液体を圧送し同時にその液体の流れの中に気体を導入させてマイクロバブルを発生させる装置であり、通路内に液体を圧送しつつ外部から気体を導入させて気液混合流体を生成し、数十ミクロン程度の径の多量のマイクロバブルを均質分布で含む流体を生成させる。ここに、マイクロバブルとは、数十ミクロン以下のサイズのバブル、具体的には、５０μｍ〜１μｍサイズの気泡を言う。
【００１９】
図１ないし図６は、本発明の一実施形態のマイクロバブル発生器１を示しており、図において、マイクロバブル発生器１は、ケース体２と、絞り部３と、気体混合手段４と、気体の斜め導入手段５と、を備えている。そして、気体混合手段４は、気体導入孔６と、環状スリット７と、環状空間８と、を含む。
【００２０】
実施形態のマイクロバブル発生器１は、円筒状のケース体２内にその筒軸１００方向に軸心に沿って貫通する主通路１０を形成させ、該主通路１０の一端側に液体の流入開口１０ａが設けられるとともに、主通路１０の他端側に液体の流出開口１０ｂが設けられている。流入開口１０ａと流出開口１０ｂとは主通路１０で連通されている。ケース体２０は、金属またはプラスチック材で形成され液体の圧送に耐え得る強度と剛性を備えている。ケース体２０の材質はガラス、セラミックスでもよい。実施形態では成形が容易であり製作コストも安価である点から、プラスチックが用いられている。製品成形は、バルク材からの切削、鋳造、押し出し成形などの方法を用いることができる。
【００２１】
主通路１０の長手方向中間位置に通路をオリフィス状に絞る絞り部３が形成されている。図１の実施形態においては、全長Ｌ３を例えば１：４強程度に内割り分割する位置に絞り部３が設けられている。絞り部３は、液体の通路を小さくして液体の流れを絞り流速を増加させて第１テーパ部及びその上流側の低速部に比較して最大絞り位置以降の下流側圧力を急激に降下させこの際にマイクロバブルを発生させる。
【００２２】
図１において、ケース体２は第１テーパ部１４を有する第１ケース部１２と、第２テーパ部５４を有する第２ケース部５２と、をそれぞれ含み、第１、第２ケース部１２，５２が主通路１０の中間位置で直列状に連結されてケース体２を構成する。本実施形態では、図５に示すように第１、第２ケース部１２，５２はそれぞれ別体の第１、第２半截ケース１６、５６のそれぞれ端部側を突き合わせ接合してケース体２として一体化させている。このように、第１ケース部１２の第１テーパ部１４は、流入開口１０ａから絞り部３に向かってしだいに主通路の内径が小さくなる部位であり、第２ケース部５２の第２テーパ部５４は、絞り部３から流出開口１０ｂに向けてしだいに主通路の内径が大きくなる部位であり、これらを直列状に組み付けて主通路全体を一体に連通し中間に絞り部３を設けた全体としてベンチュリ管で形成されている。主通路１０は断面円形で形成されている。
【００２３】
第１ケース部１２は、第２ケース部５２より長さＬ１が短い円筒形状体からなり、第２ケース部５２は、第１ケース部１２より長さＬ２が長い円筒形状体から構成されている。
【００２４】
第１ケース部１２内の通路は断面平行壁からなる平行部１８と、平行部１８に連続し絞り部３に向けてしだいに通路径を小さくする第１テーパ部１４と、から形成されている。平行部１８の一端開口が液体の流入開口１０ａであり液体が平行部１８により平行流として導入され、絞り部３側に向けて圧送される。第１テーパ部１４の平行部１８から最大絞り位置Ｐに向かうテーパ角は後述する第２テーパ部５４の最大絞り位置Ｐから流出開口１０ｂに向かうテーパ角度より大きく設定され、急傾斜壁面が形成されている。
【００２５】
第２ケース部５２内の通路は絞り部３の一部となる一端５８側の通路径が最も小さく形成され、他端の液体の流出開口１０ｂに向けて緩やかな勾配で通路径をしだいに拡大して形成されている。
【００２６】
図１、４に示すように、第１、第２ケース部１２、５２の接合部分において絞り部３のうちの最大絞り位置Ｐが設定されている。この最大絞り位置Ｐを含む絞り部３に気体混合手段４が設けられている。
【００２７】
図１、４に示すように、第２ケース部５２の絞り部３近傍において、第２ケース部のケース体を肉厚方向に貫通して主通路１０に連通する気体導入孔６が設けられている。気体導入孔６は最大絞り位置Ｐよりやや下流側位置のケース体表面側に設けられ例えばねじ切り加工が施された接続ポート６０に連通してケース体の肉厚部分を貫通する方向に設けられている。気体導入孔６は、例えば空気、その他のすべてのガスを外部からケース体２の主通路１０内に導入させる案内通路であり、好ましくは肉厚方向に直線状に伸びる通路である。主通路１０に導入させる気体は送風機等により気体導入孔６に圧送してもよいし、主通路側に自然吸引させてもよい。
【００２８】
また、絞り部３の近傍であって気体導入孔６に連通して環状空間８が設けられている。実施形態において、環状空間８は最大絞り位置Ｐに近接する位置でしかも主通路１０に近接する位置において環状に設けられている。すなわち、この環状空間８は断面視で主通路１０より外側位置において主通路１０を取囲むようにケース体２の構成壁の肉厚部分内に埋め込まれた状態で環状に設けられている。環状空間８は、気体導入孔６からの気体を受け入れて主通路１０の外側で環状に取囲むガス溜り部分を形成させ、後述するように環状のスリット７を介して主通路１０内に向けて外周側から筒芯側に向かうように環状の隙間から同時に気体を導入させる。実施形態では、この環状空間８は、第１半截ケース１６と第２半截ケース５６との突合せ衝合部に第１、第２半截ケースのいずれか又は両方に凹部を設けてケース体２の構成壁の肉厚部分内に埋め込み状態で環状に設けられている。そして、気体混合手段４は、気体導入孔６と、環状スリット７と、環状空間８と、を含む。なお、環状スリット７の幅（隙間）ｄ１は、最大絞り位置Ｐにおける通路内径ｄ２とｄ１／ｄ２＝０．０００１〜０．５の比に設定すると多量のマイクロバブルサイズ（例えば５０μｍ以下）の微細気泡を確実に生成させ得ることが実験的に確認されている。なお、より好ましくは、ｄ１／ｄ２＝０．００１〜０．３の比である。０．０００１未満では、気体導入孔６からの気体量が十分でない場合があり、０．５を超えると、均一なサイズのマイクロバブルを得にくい。
【００２９】
実施形態において、該環状空間８の断面形状は、横転Ｌ字形状であり、入口８１にて気体導入孔６と連通する。さらに、本実施形態において、環状空間８は、これに面する断面傾斜状壁２０によりその一部が画成されている。断面傾斜状壁２０は、環状空間８に面し主通路１０内の液体の流れ下流方向ＤＷに下がり傾斜状で設けられ環状スリット７に通じるように形成されている。断面傾斜状壁２０は、環状スリット７から主通路１０の液体の流れ下流方向ＤＷに下がり傾斜で斜めに向けて気体を導入させる斜め導入手段５を構成する。環状空間８は、図４に示すように、断面視で環状スリット７に向けて連通する空間をしだいに狭める（先細り状）ように設けられている。具体的には、断面傾斜状壁２０と第２半截ケース５６の通路口縁６２部分とが対向した２つの壁により環状スリット７に向けて空間をしだいに狭くして形成されている。環状空間８の断面形状は、横転Ｌ字形状に限定されず任意の断面の空間形状としてもよい。
【００３０】
環状空間８を介して気体導入孔６に連通しかつ主通路１０に開放する環状スリット７が環状空間８に連通して設けられている。本実施形態において、環状スリット７は、断面傾斜状壁２０の先端が第２ケース部５２の通路口縁６２側と環状に微小間隙を設けて対向した形態で設けられており、この微小間隙が主通路１０に開放することにより形成されている。環状スリット７は、環状空間８の外部からの気体を主通路１０の液体の流れ下流方向に下がり傾斜で斜めに向けて気体を導入させる。本実施形態では、環状スリット７は、絞り部３のうちの最大絞り位置Ｐ近傍、詳しくは、最大絞り位置Ｐよりわずかに下流側に設けられており、これによって、液体の流速が最大からわずかに低下してわずかに圧力を上昇させる部分で効果的に気体を吸引し、微細気泡を生成させる。中心を流れる液体中に斜め下がり傾斜状に外側の環状空隙から気体を導入させるから、均等サイズでかつ極めて多くの微細気泡を、生成させることができる。なお、本実施形態では環状スリット７は、円形に連続するスリットで構成されているが、ドット状孔、間欠状孔を円形状に設けたものでも良い。
【００３１】
本実施形態において、図５に示すように第１ケース部１２の絞り部３となる第１半截ケース１６の端面側に環状突起２２を形成させている。環状突起２２は、第１テーパ部１４の端部の最大絞り位置Ｐから連続し緩やかに径をしだいに大きくする環壁で主通路の一部をなす通路壁２３と、第１ケース部本体の端面から連続して環状空間８に面する環壁の断面傾斜状壁２０とを表裏対向壁面に有している。実施形態では、環状突起２２は、主通路１０の液体の流れ下流方向に向けて突出し先鋭形状で設けられている。つまり、環状突起２２は一部が主通路１０に接するとともに、他部が環状空間８に接して該環状突起２２の先端部周囲に環状スリット７を形成する。これによって、内側に圧送される流体が通過し外側は気体が通過することにより環状突起の先端２２ａは微細に振動を生じさせ、さらに多くの微細気泡生成を促進させることができる。実施形態では、第２ケース部５２の絞り部の通路口縁６２との間で微小間隙の環状スリット７を形成するように第２ケース部５２の絞り部の通路口縁６２に環状突起２２を近接配置させて環状スリット７が形成されている。したがって、第１ケース部と第２ケース部との接合部において、それらの突合せ衝合状態を利用して主通路１０に開放する環状の微小隙間を形成する状態で両ケース部１２，５２を接合させている。
【００３２】
図６に示すように、第１半截ケース１６の接合部端面（（ａ）図参照））は、外周部に位置決め用の周状切欠き６４、中央部に主通路１０を縁取るように環状突起２２、周状切欠き６４と環状突起２２との中間部の平坦部６５とで形成されている。また、第２半截ケース５６の接合部端面（（ｂ）図参照））は、第１半截ケース１６の周状切欠き６４と平坦部６５に密着衝合する周状突部６６と平坦凹部６７と、中央部に環状突起２２を受け入れて第１半截ケースとの間で環状空間８と、環状スリット７を形成する中央凹部６８と、を備えている。
【００３３】
次に、実施形態のマイクロバブル発生器１の作用について説明する。本実施形態のマイクロバブル発生器１は、図７に示すように、例えば処理対象水源７０の水中に圧送ポンプ７２を圧送管７４を介して接続したマイクロバブル発生器１を配置し、気体導入孔６の接続ポート６０に気体供給ホース７６を接続してホースの先端を大気開放状態に配置させ（あるいはコンプレッサを接続）、水源７０の液体を戻し管７７によりポンプ７２の吸込み側に戻す公知の装置あるいはシステムにおいて用いることができる。この場合、水源７０の水は循環処理されるから例えば水の物理的性質を大きく変化させることができる。水の物理的変化として、ｐＨの低下（蒸留水の場合）、表面張力の低下、電気伝導度の上昇などがある。これらの物理的性質が変化した水を使用することで、生体の機能向上、植物や養殖物の収率向上、水質浄化などの効果を奏することができる。これによって、液体を海水あるいは水ないしは淡水とした液体中に空気のマイクロバブルを発生し、水質浄化、水棲生物成長促進機能を行う。液体は特に限定されず、水道水のほか、海水、湖水、薬品類、洗浄液等を使用することができる。腐食性の強い液体を使用する場合には、耐食性の高い材質を用いてケース体を構成するとよい。気体導入孔６から導入する気体は、特に限定されず、空気、酸素、窒素、二酸化炭素、オゾン等の気体を使用することができる。また、気体導入孔には、気体の導入量を制御するための制御弁等を設置し気体流量を制御してもよい。すなわち、液体を有する環境の液体内に本装置を設置して水質浄化等目的で適用することができるばかりか、本装置を用いてバブリング処理した液体を用いて他の適用場面で種々の用途に使用することもできる。
【００３４】
図１において、液体がＦ方向にマイクロバブル発生器の図上左端側の流入開口１０ａから流入し、途中の絞り部３を経由して右端側の流出開口１０ｂから出る。流入開口１０ａから流入した液体は第１テーパ部１４部分で通路が急激に狭められ流速を増すとともに圧力を急激に降下させて絞り部３に導入される。最大絞り位置Ｐで流速は最高となり、この最大絞り位置を通過する絞り部３部分の通路は大きく負圧化する。このとき、最大絞り位置Ｐより小許液体の流れ下流方向位置の環状スリット７から空気その他のガスで環状に連続したガスが高速で主通路１０内に導入され、気液混合流体となる。このとき、環状スリット７から主通路に導入される気体は、通路の外周側から円形に連続する孔から内部に引き込まれるので、十分な量の気体が通路内に供給され、しかも気体が通路内に導入されるときに微小な均等幅のスリット間隙から気体が噴出される結果、液体内で多量の均等サイズのバブルとなる。特に、本実施形態では、環状空間８内の断面傾斜状壁２０により環状スリット７から主通路１０の液体の流れ下流方向ＤＷに下がり傾斜で斜めに向けて気体を導入させるので、環状空間の円形のサイズを連続的に縮小させながら環状スリットから主通路に導入させる。これにより、主通路１０内へ円滑に流れながら円形のサイズを連続的に縮小させつつ気体を液体の通路内に導入するから多数の均等サイズのバブルが生成され、液体内で収縮し確実に良質で多量のマイクロバブルを生成することができる。さらに、本実施形態では、環状突起２２が主通路１０の液体の流れ下流方向に向けて先鋭形状となっており、内外面を液体及び気体が同時に高速で通過するから、環状突起の先端２２ａが微細に振動を生じさせる結果、環状スリット７から気体が主通路１０内に導入されるときに、液体内で気泡が細かくせん断されやすくなり、これによって、均一でさらに多くの微細気泡生成を促進させることができる。より詳しくは、図８において、本実施形態のマイクロバブル発生器の適用において、液体が水、気体が空気の場合を例にとると、環状スリット７から主通路１０の液体Ｌの流れ下流方向ＤＷに下がり傾斜で斜めに向けて気体Ｇを導入させることにより、空気が水の流速によって通路内に導入されやすくなり、環状の微小隙間から環状の空気（気体）を高速で主通路の液体内に導入させて円滑に微細気泡ＭＢを発生させる。このとき、空気を内部の断面傾斜状壁２０を含む壁面に沿って導入することで、減圧された状態から開放された水が通路口縁６２から壁面に広がって空気が一挙にせん断され、微細気泡ＭＢを発生させることができる。また、このとき空気の入口が振動するので、一定の流速になると環状突起２２部分が振動し、空気が振動しながら導入されることで水の力によって衝撃波ＩＷが発生しやすくなる。この衝撃波ＩＷは主通路１０内で数回起こり、マイクロバブルを含む微細気泡ＭＢの発生を促進する。これによって、発生した気泡は基本的には数と大きさが正規分布にしたがって存在するが、ほとんど均一な４０μｍ程度の大きさを保つことが実験的に確認されている。発生した気泡はほとんどが浮上せず、水中で消滅する。上記の構成のマイクロバブル発生器は、構成される部品点数が少なく、低���ストでの製作が可能であり、耐久性も高いものとすることができる。また、第１、第２半截ケースの接合については、接着やねじ込み接合とすることもできる。
【００３５】
次に、本発明の第２実施形態について、図９により説明するが、第１実施形態と同一部材には同一符号を付し、その詳細な説明は省略する。第２実施形態のマイクロバブル発生器１００は、主通路１０が断面円形で形成されており、ケース体２の絞り部３近傍位置であり主通路１０の直径方向対向位置に対極となる一対の磁力体９１，９２を配置した点が第１実施形態と異なる。主通路１０の直径方向対向位置にＮ極とＳ極を有する一対の永久磁石９１，９２を配置したことにより、液体の表面張力が大きく減少し、マイクロバブルの気液界面張力を減少させて気泡の液体内での収縮を確実にし、溶存酸素濃度を高くして水質改善、水の浄化作用をより強く実効させる。
【００３６】
図１０は、図９の構成によるマイクロバブル発生器を用いてバブリングした際の時間（分）経過における表面張力（dyn/cm）の測定結果を示したものであり、この磁気を用いたマイクロバブル発生器を使うと２時間程度のバブリングで水の表面張力が２０dyn/cm程度減少することが確認された。なお、表面張力測定は、デュヌイ表面張力計５１４−Ｂ２型（伊藤製作所製）を用いた。これに比較して磁気を用いないタイプのマイクロバブル発生器は１０dyn/cm程度の減少しか示していなかった。なお、本発明のマイクロバブル発生器は、ケース体２の主通路内に周方向の溝、螺旋溝、あるいは液体の流れる方向を制御する旋回翼、等を取りつけて通路内で旋回流を発生させることで、物理的性質を変化させるようにしてもよい。
【００３７】
本発明のマイクロバブル発生器１は、生理活性作用による植物や養殖物の収率向上、水質浄化、機械装置の洗浄、排水中の界面活性剤除去機能を利用したあらゆる分野においてその適用が考えられる。出願人は、それらの適用について具体的な検証を行った。（１）例えば、水質浄化、水内への豊富な酸素供給量確保機能により、図１実施形態のマイクロバブル発生器と、小形のポンプと空気圧送用コンプレッサとを用いた処理水により淡水魚と海水魚を同一水槽内で生育させ得ることを確認した。（２）また、クルマエビの稚エビ１ｃｍ以下２５万匹を養殖場に放出し（１）と同様の構成を実施させて９９．７％の生存率を確保した。この点、従来の生存率は７２％程度であった。また、この際のエアレーションは、通常エアレーション２０００ｄｍ３に対して約０．１％であり、マイクロバブルの効果を確認した。（３）また、たいらぎ貝について実証実験を行った結果、本装置使用処理水と不使用のものについて６ヶ月経過後の貝のサイズについて本装置使用のものが４倍程度の大きさになることが確認された。（４）さらに本発明のマイクロバブル発生器１による処理水を果物の梨、野菜のナス、トマト、キュウリへの供給、焼酎の製造工程中の酵母製造、大腸菌、サルモネラ菌、黄色ブドウ球菌等の減少確認等の実験を行うことでそれぞれの対照区に対して優れた効果を奏し得ることを確認した。
【００３８】
なお、本発明のマイクロバブル発生器は、主通路を液体が通流し、外部から気体導入孔を介して気体を導入してマイクロバブルを発生するようにしているが、主通路に気体を圧送通流させ、外部から液体を負圧導入させると、均等サイズの超微細微粒子を含むミスト気体を生成することができる。
【００３９】
本発明のマイクロバブル発生器は、上記した実施態様の構成のみに限定されるものではなく、特許請求の範囲に記載した発明の本質を逸脱しない限りにおいて任意に改変してもよい。
【符号の説明】
【００４０】
１  マイクロバブル発生器
２  ケース体
３  絞り部
４  気体混合手段
５  気体の斜め導入手段
６  気体導入孔
７  環状スリット
８  環状空間
１０  主通路
１０ａ  流入開口
１０ｂ  流出開口
１２  第１ケース部
１４  第１テーパ部
１６  第１半截ケース
１８  平行部
２０  断面傾斜状壁
２２  環状突起
２３  通路壁
５２  第２ケース部
５４  第２テーパ部
５６  第２半截ケース
６２  通路口縁
ＭＢ  微細気泡
Ｐ  最大絞り位置
ＤＷ  液体の流れ下流方向
【図１】
0005257819.tif 000002
【図２】
0005257819.tif 000003
【図３】
0005257819.tif 000004
【図４】
0005257819.tif 000005
【図５】
0005257819.tif 000006
【図６】
0005257819.tif 000007
【図７】
0005257819.tif 000008
【図８】
0005257819.tif 000009
【図９】
0005257819.tif 000010
【図１０】
0005257819.tif 000011